(57)【要約】【課題】より良い植物忌避具を提供することである。【解決手段】  植物忌避具１は、蔓蔦状植物に対する忌避成分を含み、可撓性を有するシート状の本体部１１と、本体部１１を、線状の対象物に巻き付いた巻付状態と、広げた展開状態と、を維持できる形状保持部１５と、を有し、形状保持部１５は、本体部１１の少なくとも線状の対象物の軸方向の両端部側位置に配置されている。【選択図】  図４
2020115802.tif 000002
【特許請求の範囲】
【請求項１】
蔓蔦状植物に対する忌避成分を含み、可撓性を有するシート状の本体部と、
前記本体部を、
線状の対象物に巻き付いた巻付状態と、
広げた展開状態と、
を維持できる形状保持部と、を有し、
前記形状保持部は、
前記本体部の少なくとも線状の対象物の軸方向の両端部側位置に配置されている
植物忌避具。
【請求項２】
前記形状保持部は、板ばねから形成されている
請求項１に記載の植物忌避具。
【請求項３】
前記本体部の軸方向の左右の少なくともいずれかの端部側位置に、軸方向に平行な方向に延びる軸平行端部を有し、
前記軸平行端部は、前記本体部よりも可撓性が低く形成されている
請求項１又は２に記載の植物忌避具。
【請求項４】
線状の対象物に固定する固定具を有し、
前記固定具は、前記本体部が線状の対象物の下方側へ移動することを防止するように形成された
請求１〜３いずれか１項に記載の植物忌避具。
【発明の詳細な説明】
【技術分野】
【０００１】
本発明は、植物忌避具に関する。より具体的な一例では、ワイヤ・ケーブル・電線等の線状の対象物に蔓蔦状植物が巻き上がることを防止する植物忌避具に関する。
【背景技術】
【０００２】
特許文献１には、蔓性植物巻き上がり抑制装置および蔓性植物巻き上がり抑制方法に関する技術が開示されている。
【先行技術文献】
【特許文献】
【０００３】
【特許文献１】特開２００９―１８３２４０号公報
【発明の概要】
【発明が解決しようとする課題】
【０００４】
しかしながら、特許文献１に記載の方法においては、設置が大変、コストが高い等の不利益がある。
【０００５】
本発明は、より良い植物忌避具を提供することである。
【課題を解決するための手段】
【０００６】
本発明の第１の観点における植物忌避具は、蔓蔦状植物に対する忌避成分を含み、可撓性を有するシート状の本体部と、前記本体部を、線状の対象物に巻き付いた巻付状態と、広げた展開状態と、を維持できる形状保持部と、を有し、前記形状保持部は、前記本体部の少なくとも線状の対象物の軸方向の両端部側位置に配置されている。
【０００７】
好適には、前記形状保持部は、板ばねから形成されている。
【０００８】
好適には、前記本体部の軸方向の左右の少なくともいずれかの端部側位置に、軸方向に平行な方向に延びる軸平行端部を有し、前記軸平行端部は、前記本体部よりも可撓性が低く形成されている。
【０００９】
好適には、線状の対象物に固定する固定具を有し、前記固定具は、前記本体部が線状の対象物の下方側へ移動することを防止するように形成された。
【発明の効果】
【００１０】
本発明における植物忌避具によって、より良い植物忌避具を提供することが可能となった。
【図面の簡単な説明】
【００１１】
【図１】本発明の第１の実施形態に係る植物忌避具を示す説明図である。
【図２】形状保持部の構造の説明図である。
【図３】固定具の説明図である。
【図４】植物忌避具の使用状況の説明図である。
【発明を実施するための形態】
【００１２】
＜第１の実施形態＞
図１は、本発明の第１の実施形態に係る植物忌避具１を示す説明図である。
【００１３】
植物忌避具１は、架線保持用の柱その他の周りなどに張られるワイヤ等の各種の線に、蔓・蔦などの蔓蔦状植物が絡まって這い上がっていくことによる弊害を除去するために用いられる。
この植物忌避具１は、本体部１１を有しこの本体部は、図１の様に長方形のシート状の形状を有している。
この本体部１１は、可撓性を有している。
この本体部１１は、紙面左右方向から丸く丸まる構造を有している（図４も参照のこと）。そのため、丸まって筒状になる際の、この筒の軸方向（紙面上下方向）を軸方向と定義する。
本体部１１は、植物を忌避する材質（物質）から形成されている。若しくは、植物を忌避する物質がその表面に塗られている。さらに又は、植物を忌避する材質を含んで形成されている。
本体部１１の具体的な第１の例としては、可撓性を有する基材である樹脂シートの表面に、塩化ビニールをコーティングして、この塩化ビニールに植物を忌避する材質である茎葉処理移行型除草薬剤を含浸させ、あるいは更に乾燥させたものが考えられる。
本体部１１の具体的な第２の例としては、無機繊維を主体とする不織布に、植物を忌避する材質である消石灰を担持させ、可撓性を有する基材であるゴムシートの表面に、当該不織布を貼り付けたものが考えられる。
植物を忌避する材質（物質）としては、プリベントールが現在のところ最適であると判断しているが、これに限る趣旨ではなく、植物（蔓・蔦性植物）が忌避する性質がある材質（物質）であればどのようなものであってもよい。
もちろん、この本体部１１における植物を忌避する材質は、植物が忌避する性質を有し、使用上の問題が無ければ、どのようなものであってもよいことは言うまでもない。
また、本体部１１は、メッシュ構造である。構造についても、メッシュ構造である必要はなく、水・空気をとおさない構造にすることも可能である。
メッシュ構造とした場合には、植物忌避具１の重量を軽くすることができる。そのことは、材料費を軽減することができることをも意味する。また、メッシュ構造としたため、本体部１１が巻き付いた内部の通気をよくすることができる。
【００１４】
本体部１１の軸方向の両端部付近には、形状保持部１５がそれぞれ配置されている。
この形状保持部は、軸方向とは直角な方向に延びている。なお、この形状保持部１５の構造の一例は図２で説明する。
形状保持部１５は一方に配置される一方側形状保持部１５ａと、他方に配置される他方側形状保持部１５ｂを有している。
なお、この形状保持部１５は、端部「側」に配置されていればよく、端部そのものに配置されていても、端部の近傍に配置されていてもよい。
また、形状保持部１５は、端部だけに配置される必要はなく、軸方向の端部の間に１個から複数個まで、任意に配置することも可能である。
後述する軸平行端部１３がない場合、その強度が低い場合などには特に有効である。
【００１５】
本体部１１の軸方向に平行な両端部には、軸平行端部１３が配置されている。
軸平行端部１３は一方に配置される一方側軸平行端部１３ａと、他方に配置される他方側軸平行端部１３ｂを有している。
この軸平行端部１３は、単に、本体部１１を２重以上に折りたたむことで形成することができる。もっとも、別部材を別に結合等することも可能である。
この、軸平行端部１３は、端部及びその近傍に位置すれば足りる。
軸平行端部１３は、本体部１１よりも可撓性が低く形成される。これによって、巻付状態となった際に、植物忌避具１の形状を維持する芯材としての役割を果たす。
もちろん、展開状態の時にも、形状の維持に有用である。
【００１６】
図２は、形状保持部１５の構造の説明図である。
【００１７】
形状保持部１５、いわゆる板ばねによって形成されている。
図２（ａ）のように、紙面左右に長い板ばねが、所定のアーチとなっている状態では、まっすぐな形を維持できる。
他方、このアーチを一部でもつぶすと、ばね効果が発揮されて図２（ｂ）のように全体が丸まる構造である。
【００１８】
このような機能を持った形状保持部１５を図１の様に、本体部１１の軸方向の端部に軸方向に直角に配置した場合、形状保持部１５が図２（ａ）の状態のときは、本体部１１（植物忌避具１）が展開状態で維持される。
他方、形状保持部１５が図２（ｂ）の状態のときは、本体部１１（植物忌避具１）が軸方向を中心に巻かれて巻付状態で維持される。
この展開状態と巻付状態とは、単に、展開状態で形状保持部１５の一部を折ることによって、すべて丸まった巻き付け状態にまで自動的に遷移させることが可能である。
そのため、極めて容易に植物忌避具１を巻き付けることが可能である。
【００１９】
図３は、固定具１０１の説明図である。
【００２０】
植物忌避具１は、さらに、固定具１０１を有していてもよい。
固定具１０１は、図１で示した本体部１１側の植物忌避具１を円筒状の内部に挿入されることによって受け止める受止部１０１ａと、紐状の線状の対象物に固定具１０１自体を固定する固定部１０１ｂとを有している。
【００２１】
図４は、植物忌避具１の使用状況の説明図である。
【００２２】
図４（ａ）の様に、まず、蔓蔦状植物の這い上がりを防止したい線状の対象物５０に、固定具１０１を固定する。
その状態で、本体部１１の植物忌避具１を開いた状態でこの線状の対象物に接近させる。そして、その後、形状保持部１５を線状の対象物５０を中心に巻きこむように折りたたむ。後は、図４（ｂ）の様に、自動的に本体部１１の植物忌避具１が線状の対象物５０に巻き付くことになる。
最終的に、図４（ｃ）の状態となる。
このように、極めて簡単に、巻き付け・固定が可能となる。
【００２３】
＜実施形態の構成及び効果＞
植物忌避具１は、蔓蔦状植物に対する忌避成分を含み、可撓性を有するシート状の本体部１１と、本体部１１を、線状の対象物に巻き付いた巻付状態と、広げた展開状態と、を維持できる形状保持部１５と、を有し、形状保持部１５は、本体部１１の少なくとも線状の対象物の軸方向の両端部側位置に配置されている。
このような構成を有することから、より良い植物忌避具を提供することが可能となった。
さらに、このような構成を有することから、簡単な形状の植物忌避具１を提供することができるようになった。このことは、製造のコストダウンが可能であることも意味する。
加えて、このような構成を有することから、作業者が少ない動作で線状の対象物に植物忌避具１を取り付けられる。
また、運搬時などはシート状の形状とすることも可能であるため、場所を取らずに複数枚保管することも容易になった。
【００２４】
形状保持部１５は、板ばねから形成されている。
このような構成を有することから、単純な部材によって展開状態と巻付状態とを遷移させることが可能となった。また、コストも下げることが可能となった。
【００２５】
本体部１１の軸方向の左右の少なくともいずれかの端部側位置に、軸方向に平行な方向に延びる軸平行端部１３を有し、軸平行端部１３は、本体部１１よりも可撓性が低く形成されている。
このような構成を有することから、巻付状態となった際に、植物忌避具１の形状を維持することが可能となる。展開状態の際にも、形状の維持に効果を発揮できる。
【００２６】
線状の対象物に固定する固定具１０１を有し、固定具１０１は、本体部１１が線状の対象物の下方側へ移動することを防止するように形成されている。
このような構成を有することから、本体部１１を含む側の植物忌避具１が、線状の対象物を滑り落ちることを防止することができる。
【００２７】
本発明の、構造、材料、各部材の連結、化学物質、などは、本発明の要旨を変更しない範囲で、様々に変更可能である。
材質も、金属、プラスチック、ＦＲＰ等を自由に選択することが可能である。
例えば、２つ以上の部材を１つにすることも可能であるし、逆に、１つの部材を２つ以上の別の部材から構成して接続することも可能である。
また、上記実施形態は、あくまでも、現在のところの最良の形態の１つにすぎない。
【符号の説明】
【００２８】
１        ：植物忌避具
１１      ：本体部
１３      ：軸平行端部
１３ａ    ：一方側軸平行端部
１３ｂ    ：他方側軸平行端部
１５      ：形状保持部
１５ａ    ：一方側形状保持部
１５ｂ    ：他方側形状保持部
５０      ：対象物
１０１    ：固定具
１０１ａ  ：受止部
１０１ｂ  ：固定部
【図１】
2020115802.tif 000003
【図２】
2020115802.tif 000004
【図３】
2020115802.tif 000005
【図４】
2020115802.tif 000006